【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
上下方向と横方向とを有し、前胴回り域と後胴回り域と股下域とが形成され、前記前胴回り域の両側縁部それぞれの内面と前記後胴回り域の両側縁部それぞれの内面とが接合して前記横方向の両側それぞれに前記上下方向へ延びる側部接合域が形成されるとともに、胴回り開口と一対の脚回り開口とが形成されていて、前記前後胴回り域のそれぞれには前記側部接合域どうしの間に複数条の弾性部材が伸長状態で取り付けられている大人用の使い捨てのパンツ型のおむつであって、
前記後胴回り域は、前記胴回り開口の縁から前記上下方向の下方に向かう幅が少なくとも４０ｍｍの範囲にある前記弾性部材の複数条によって形成される上方弾性域と、前記上方弾性域に隣接し前記下方に向かう幅が少なくとも４０ｍｍの範囲にある前記弾性部材の複数条によって形成される下方弾性域とを有し、
前記上方弾性域における前記弾性部材の伸長倍率と前記幅１５ｍｍ当たりについての１．７倍伸長時の伸長力とが、前記下方弾性域における前記弾性部材の伸長倍率と前記幅１５ｍｍ当たりについての１．７倍伸長時の伸長力よりも小さく、
両脚の大腿部と、臀部と、前記臀部における臀溝と臀溝点と臀部後突点とが形成されている大人の人体ダミーに着用させる過程での着用圧を測定すると、前記臀溝点において測定される前記着用圧の最大値が０．５−１．５Ｎの間にあることを特徴とするおむつ。
【請求項２】
前記おむつが体液吸収性の芯材と前記芯材を被覆する透液性の内面シートとを含む吸収体を有し、前記芯材が前記股下域から前記後胴回り域に向かって延びた先端に後端を有し、前記後端が前記胴回り開口の縁から少なくとも７０ｍｍ離間している請求項１記載のおむつ。
【請求項３】
前記人体ダミーが４０代または７０代日本人女性の平均的人体形状を有するものである請求項１または２記載のおむつ。
【請求項４】
両脚の大腿部と臀部とを有し、前記臀部には臀溝と臀部後突点とが形成されている大人の人体ダミーにパンツ型着用物品を着用させて、前記着用物品の着用容易性を判断する方法であって、
前記人体ダミーと前記着用物品とが上下方向と横方向とを有し、
前記人体ダミーには、前記臀溝のうちの前記臀部後突点の直下に位置する部分である臀溝点と前記臀部後突点とのうちの少なくとも前記臀溝点に着用圧センサを取り付けて、前記センサの検出する着用圧を圧力測定器によって表示させ、
前記両脚の前記大腿部それぞれが一対の脚回り開口それぞれに挿通してある前記着用物品においての胴回りの両側部それぞれの頂部を片手ずつで把持して、前記臀溝点から前記臀部後突点までの間を所定の時間で通過するように前記着用物品を一定の速度で引き上げながら前記着用圧を測定し、前記着用物品を引き上げる過程で生じた前記臀溝点における前記着用圧の最大値を求め、
前記人体ダミーに着用させた複数の前記着用物品の間で前記最大値を比較して、前記最大値が小さいほど着用容易なものであると判断することを特徴とする方法。
【請求項５】
前記着用物品は、前胴回り域と後胴回り域とを有し、前記前胴回り域の両側縁部それぞれの内面と、前記後胴回り域の両側縁部それぞれの内面とが接合して、一対の側部接合域と、胴回り開口と、一対の脚回り開口とが形成されている大人用の使い捨てのパンツ型のおむつであり、
前記人体ダミーには、４０代日本人女性の平均的人体形状を示すものおよび７０代日本人女性の平均的人体形状を示すもののいずれかを使用し、
前記人体ダミーの腹側と背側、および前記着用物品の前記前胴回り域と前記後胴回り域のそれぞれに、前記人体ダミーおよび前記着用物品それぞれにおける前記横方向の寸法を二等分して前記上下方向へ延びる中心線を記入し、前記大腿部が前記脚回り開口に挿通してある前記着用物品の前記中心線を前記人体ダミーの前記中心線に一致させて前記人体ダミーの後方から前記側部接合域それぞれの頂部を片手ずつで把持し、
把持するときの前記片手のそれぞれは、前記側部接合域をまたいで、親指を前記側部接合域の後方に位置させる一方、人差指を前記側部接合域の前方に位置させ、
把持した前記着用物品は、前記臀溝点から少なくとも１００ｍｍ離間している前記臀溝点の下方部位から引き上げ始めて、前記人体ダミーの前記臀溝点から前記臀部後突点までの間を前記胴回り開口の縁が所定の時間で通過するように一定の速度で引き上げ、
前記着用物品を引き上げる過程で生じた前記臀溝点における前記着用圧を前記圧力測定器で所定時間ごとに表示させる請求項４記載の方法。
【請求項６】
前記一定の速度が６０ｍｍ／秒である請求項４または５記載の方法。
【請求項７】
前記圧力測定器には、前記着用圧を０．１秒ごとに表示させる請求項４−６のいずれかに記載の方法。
【手続補正２】
【補正対象書類名】明細書
【補正対象項目名】００３０
【補正方法】変更
【補正の内容】
【００３０】
第１前胴周り弾性域６１ｆ、第２前胴周り弾性域６２ｆ、第１後胴周り弾性域６１ｒおよび第２後胴回り弾性域６２ｒの伸長力は、次のようにして測定する。（１）おむつ１０を自然状態に置いて、おむつ１０の弾性部材を収縮させる。（２）伸長力を測定しようとする弾性域において、図２の上下方向Ｙの寸法である幅が１５ｍｍ、横方向Ｘの寸法である長さが約６０ｍｍの試験片（図示せず）を、側部接合域１８とインナー部材３２との間から切り取る。ただし、試験片はその一部分がインナー部材３２と交差していてもよい。（３）試験片の長さ方向の中央部に、長さ方向の離間寸法が約３０ｍｍとなるように２本の標線を書き入れ、標線間の寸法Ｅ０を正確に測定する。（４）試験片を引張り試験機に取り付ける。引張り試験機では、試験片の両端部それぞれを１０ｍｍずつチャックで把持する。引張り試験機には、例えばインストロン  モデルＮＯ．５５６４を使用することができる。（５）試験片は、１００ｍｍ／ｍｉｎの速度で引張り、寸法Ｅ０が１．７倍に達したときの伸長力を求め、その値を弾性域の伸長力とする。（６）弾性域から幅が１５ｍｍの試験片を切り取るときには、試験片の幅方向において弾性部材ができるだけ多く含まれるように、弾性域における試験片の採取位置を選択する。
【手続補正３】
【補正対象書類名】明細書
【補正対象項目名】００５２
【補正方法】変更
【補正の内容】
【００５２】
両脚の大腿部と臀部とを有し、前記臀部には臀溝と臀部後突点とが形成されている大人の人体ダミーにパンツ型着用物品を着用させて、前記着用物品の着用容易性を判断する方法であって、
前記人体ダミーと前記着用物品とが上下方向と横方向とを有し、
前記人体ダミーには、前記臀溝のうちの前記臀部後突点の直下に位置する部分である臀溝点と前記臀部後突点とのうちの少なくとも前記臀溝点に着用圧センサを取り付けて、前記センサの検出する着用圧を圧力測定器によって表示させ、
前記両脚の前記大腿部それぞれが一対の脚回り開口それぞれに挿通してある前記着用物品においての胴回りの両側部それぞれの頂部を片手ずつで把持して、前記臀溝点から前記臀部後突点までの間を所定の時間で通過するように前記着用物品を一定の速度で引き上げながら前記着用圧を測定し、前記着用物品を引き上げる過程で生じた前記臀溝点における前記着用圧の最大値を求め、
前記人体ダミーに着用させた複数の前記着用物品の間で前記最大値を比較して、前記最大値が小さいほど着用容易なものであると判断することを特徴とする。
【手続補正４】
【補正対象書類名】明細書
【補正対象項目名】００５３
【補正方法】変更
【補正の内容】
【００５３】
第２発明には、少なくとも以下の実施態様がある。
（１）前記着用物品は、前胴回り域と後胴回り域とを有し、前記前胴回り域の両側縁部それぞれの内面と、前記後胴回り域の両側縁部それぞれの内面とが接合して、一対の側部接合域と、胴回り開口と、一対の脚回り開口とが形成されている大人用の使い捨てのパンツ型のおむつであり、
前記人体ダミーには、４０代日本人女性の平均的人体形状を示すものおよび７０代日本人女性の平均的人体形状を示すもののいずれかを使用し、
前記人体ダミーの腹側と背側、および前記着用物品の前記前胴回り域と前記後胴回り域のそれぞれに、前記人体ダミーおよび前記着用物品それぞれにおける前記横方向の寸法を二等分して前記上下方向へ延びる中心線を記入し、前記大腿部が前記脚回り開口に挿通してある前記着用物品の前記中心線を前記人体ダミーの前記中心線に一致させて前記人体ダミーの後方から前記側部接合域それぞれの頂部を片手ずつで把持し、
把持するときの前記片手のそれぞれは、前記側部接合域をまたいで、親指を前記側部接合域の後方に位置させる一方、人差指を前記側部接合域の前方に位置させ、
把持した前記着用物品は、前記臀溝点から少なくとも１００ｍｍ離間している前記臀溝点の下方部位から引き上げ始めて、前記人体ダミーの前記臀溝点から前記臀部後突点までの間を前記胴回り開口の縁が所定の時間で通過するように一定の速度で引き上げ、
前記着用物品を引き上げる過程で生じた前記臀溝点における前記着用圧を前記圧力測定器で所定時間ごとに表示させる。
（２）前記一定の速度が６０ｍｍ／秒である。
（３）前記圧力測定器には、前記着用圧を０．１秒ごとに表示させる。